【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
画面に画像を表示する表示手段と、
第１表示輝度に関する情報である輝度情報を取得する第１取得手段と、
第１のダイナミックレンジを有する第１画像データに基づく画像である第１画像と、前記第１のダイナミックレンジよりも狭い第２のダイナミックレンジを有する第２画像データに基づく画像である第２画像とが前記画面に表示される場合に、前記輝度情報に関連した前記第１表示輝度に従って前記第１画像が表示され、且つ、前記輝度情報に関連した前記第１表示輝度よりも低い第２表示輝度に従って前記第２画像が表示されるように、前記第２画像データの輝度補正を行う補正手段と、
を有することを特徴とする表示装置。
【請求項２】
前記補正手段は、前記第１画像が前記画面に表示されずに前記第２画像が前記画面に表示される場合に、前記第２画像データの前記輝度補正を行わない
ことを特徴とする請求項１に記載の表示装置。
【請求項３】
前記第２画像データは、前記第１画像データから生成された画像データである
ことを特徴とする請求項１または２に記載の表示装置。
【請求項４】
第１入力画像データに対応する第１階調特性に関する第１階調特性情報と、第２入力画像データに対応する第２階調特性に関する第２階調特性情報とを取得する第２取得手段と、
前記第１階調特性情報に基づいて前記第１入力画像データの階調特性を変換して前記第１画像データを生成し、前記第２階調特性情報に基づいて前記第２入力画像データの階調特性を変換して前記第２画像データを生成する変換手段と、
をさらに有する
ことを特徴とする請求項１または２に記載の表示装置。
【請求項５】
前記第２取得手段は、ユーザ操作に応じて前記第１階調特性情報と前記第２階調特性情報を取得する
ことを特徴とする請求項４に記載の表示装置。
【請求項６】
前記第１階調特性情報は、前記第１入力画像データのメタデータに含まれており、
前記第２階調特性情報は、前記第２入力画像データのメタデータに含まれており、
前記第２取得手段は、前記第１入力画像データの前記メタデータから前記第１階調特性情報を取得し、前記第２入力画像データの前記メタデータから前記第２階調特性情報を取得する
ことを特徴とする請求項４に記載の表示装置。
【請求項７】
前記第１階調特性情報と前記第２階調特性情報に基づいて、前記第１画像と前記第２画像とが前記画面に表示されるか否かを判断する判断手段をさらに有する
ことを特徴とする請求項４〜６のいずれか１項に記載の表示装置。
【請求項８】
ユーザ操作に応じて、前記第１画像と前記第２画像とが画面に表示されるか否かを判断する判断手段をさらに有する
ことを特徴とする請求項１〜６のいずれか１項に記載の表示装置。
【請求項９】
前記第１取得手段は、ユーザ操作に応じて前記輝度情報を取得する
ことを特徴とする請求項１〜８のいずれか１項に記載の表示装置。
【請求項１０】
前記輝度情報は、前記第１入力画像データのメタデータに含まれており、
前記第１取得手段は、前記メタデータから前記輝度情報を取得する
ことを特徴とする請求項５〜７のいずれか１項に記載の表示装置。
【請求項１１】
前記表示手段は、表示パネルと、前記表示パネルに光を照射する発光部と、を有し、
前記発光部は、前記表示パネル全体に対して、前記輝度情報に関連した前記第１表示輝度に対応する発光輝度で発光する
ことを特徴とする請求項１〜１０のいずれか１項に記載の表示装置。
【請求項１２】
前記第２表示輝度は、前記第１表示輝度が変化しても変化しない所定の表示輝度であることを特徴とする請求項１〜１１のいずれか１項に記載の表示装置。
【請求項１３】
前記補正手段は、前記第１画像と前記第２画像とが前記画面に表示される場合に、前記第１画像の表示輝度と、前記第２画像の表示輝度との比が所定比となるように、前記第２画像データの前記輝度補正を行う
ことを特徴とする請求項１〜１１のいずれか１項に記載の表示装置。
【請求項１４】
前記補正手段は、
前記第１画像と前記第２画像とが前記画面に表示され、且つ、前記輝度情報に関連した前記第１表示輝度が所定の閾値よりも低い場合に、所定の表示輝度に従って前記第２画像が表示されるように、前記輝度情報に基づいて前記第２画像データの前記輝度補正を行い、
前記第１画像と前記第２画像とが前記画面に表示され、且つ、前記輝度情報に関連した前記第１表示輝度が前記所定の閾値以上である場合に、前記第１画像の表示輝度と、前記第２画像の表示輝度との比が所定比となるように、前記第２画像データの前記輝度補正を行う
ことを特徴とする請求項１〜１１のいずれか１項に記載の表示装置。
【請求項１５】
前記第１画像が前記画面に表示されずに前記第２画像が前記画面に表示される場合には、
前記第１表示輝度に従って前記第２画像が表示される
ことを特徴とする請求項１〜１４のいずれか１項に記載の表示装置。
【請求項１６】
前記補正手段は、前記第１表示輝度、前記第２表示輝度、及び、前記表示手段のガンマ値を用いた式で、前記第２画像データの前記輝度補正を行うための補正値を算出する
ことを特徴とする請求項１〜１５のいずれか１項に記載の表示装置。
【請求項１７】
前記第１表示輝度は、前記表示装置に設定される上限表示輝度である
ことを特徴とする請求項１〜１６のいずれか１項に記載の表示装置。
【請求項１８】
前記第１画像データはＨＤＲ（ハイダイナミックレンジ）画像データであり、
前記第２画像データはＳＤＲ（スタンダードダイナミックレンジ）画像データである
ことを特徴とする請求項１〜１７のいずれか１項に記載の表示装置。
【請求項１９】
第１表示輝度に関する情報である輝度情報を取得する取得ステップと、
第１のダイナミックレンジを有する第１画像データに基づく画像である第１画像と、前記第１のダイナミックレンジよりも狭い第２のダイナミックレンジを有する第２画像データに基づく画像である第２画像とが画面に表示される場合に、前記輝度情報に関連した前記第１表示輝度に従って前記第１画像が表示され、且つ、前記輝度情報に関連した前記第１表示輝度よりも低い第２表示輝度に従って前記第２画像が表示されるように、前記第２画像データの輝度補正を行う補正ステップと、
前記画面に画像を表示する表示ステップと、
を有することを特徴とする表示方法。
【請求項２０】
請求項１９に記載の表示方法の各ステップをコンピュータに実行させるためのプログラム。
【手続補正２】
【補正対象書類名】明細書
【補正対象項目名】０００９
【補正方法】変更
【補正の内容】
【０００９】
本発明の第１の態様は、
画面に画像を表示する表示手段と、
第１表示輝度に関する情報である輝度情報を取得する第１取得手段と、
第１のダイナミックレンジを有する第１画像データに基づく画像である第１画像と、前記第１のダイナミックレンジよりも狭い第２のダイナミックレンジを有する第２画像データに基づく画像である第２画像とが前記画面に表示される場合に、前記輝度情報に関連した前記第１表示輝度に従って前記第１画像が表示され、且つ、前記輝度情報に関連した前記第１表示輝度よりも低い第２表示輝度に従って前記第２画像が表示されるように、前記第２画像データの輝度補正を行う補正手段と、
を有することを特徴とする表示装置である。
【手続補正３】
【補正対象書類名】明細書
【補正対象項目名】００１０
【補正方法】変更
【補正の内容】
【００１０】
本発明の第２の態様は、
第１表示輝度に関する情報である輝度情報を取得する取得ステップと、
第１のダイナミックレンジを有する第１画像データに基づく画像である第１画像と、前記第１のダイナミックレンジよりも狭い第２のダイナミックレンジを有する第２画像データに基づく画像である第２画像とが画面に表示される場合に、前記輝度情報に関連した前記第１表示輝度に従って前記第１画像が表示され、且つ、前記輝度情報に関連した前記第１表示輝度よりも低い第２表示輝度に従って前記第２画像が表示されるように、前記第２画像データの輝度補正を行う補正ステップと、
前記画面に画像を表示する表示ステップと、
を有することを特徴とする表示方法である。
【手続補正４】
【補正対象書類名】明細書
【補正対象項目名】００１１
【補正方法】変更
【補正の内容】
【００１１】
本発明の第３の態様は、上述した表示方法の各ステップをコンピュータに実行させるためのプログラムである。
【手続補正５】
【補正対象書類名】明細書
【補正対象項目名】００３７
【補正方法】変更
【補正の内容】
【００３７】
そして、補正情報生成部１１２は、ＨＤＲ画像データである変換画像データを補正する輝度補正値として、１を出力する。輝度補正値＝１が使用された場合には、補正画像データとして、変換画像データと同じ画像データが得られる。そのため、本実施例では、ＨＤＲ画像データである変換画像データからは、当該変換画像データと同じ補正画像データが生成される。即ち、ＨＤＲ画像データは補正されない。その結果、輝度情報に関連した表示輝度に従ってＨＤＲ画像が表示される。具体的には、上限が輝度情報に関連した表示輝度と一致するような表示輝度で、ＨＤＲ画像が表示される。
【手続補正６】
【補正対象書類名】明細書
【補正対象項目名】００４２
【補正方法】変更
【補正の内容】
【００４２】
ＨＤＲ画像とＳＤＲ画像の一方のみが表示される、と判断された場合には（Ｓ１０１：Ｎｏ）、補正情報生成部１１２は、第１輝度補正値と第２輝度補正値との両方として、１を採用する（Ｓ１０３）。その後、Ｓ１０４へ処理が進められる。
【手続補正７】
【補正対象書類名】明細書
【補正対象項目名】００５１
【補正方法】変更
【補正の内容】
【００５１】
図６は、規格で定められた輝度（規格輝度）と、表示装置の表示輝度との対応関係の一例を示す。図６では、規格輝度の上限が１２００［ｃｄ／ｍ２］であり、表示輝度の上限が６００［ｃｄ／ｍ２］である。この場合には、図６に示すように、画像（ＨＤＲ画像）の各規格輝度は、規格輝度の１／２の表示輝度で表示される。例えば、規格輝度＝１２００［ｃｄ／ｍ２］は、表示輝度＝６００［ｃｄ／ｍ２］で表示される。そして、規格輝度の上限が１２００［ｃｄ／ｍ２］であるＨＤＲ画像と、ＳＤＲ画像とをユーザが確認する場合には、表示輝度比（ＨＤＲ画像の輝度：ＳＤＲ画像の輝度）＝１２００：１００＝１２：１で、ＨＤＲ画像とＳＤＲ画像とが表示されることが好ましい。
【手続補正８】
【補正対象書類名】明細書
【補正対象項目名】００７６
【補正方法】変更
【補正の内容】
【００７６】
補正情報生成部５０１は、実施例１の補正情報生成部１１２と同様に、表示判断部１１１の判断結果と輝度情報とに基づいて補正情報を生成し、生成した補正情報を輝度補正部１０５へ出力する。但し、本実施例では、ＨＤＲ画像とＳＤＲ画像とが表示部１０７に表示され、且つ、輝度情報に関連した表示輝度（上限表示輝度）が所定の閾値よりも低い場合に、所定の表示輝度に従ってＳＤＲ画像が表示されるように、補正情報が生成される。そして、本実施例では、ＨＤＲ画像とＳＤＲ画像とが表示部１０７に表示され、且つ、上限表示輝度が所定の閾値以上である場合に、ＨＤＲ画像の表示輝度とＳＤＲ画像の表示輝度との比が所定比となるように、補正情報が生成される。具体的には、実施例１と同様に、ＨＤＲ画像に対応する輝度補正値として、１が採用される。そして、ＳＤＲ画像に対応する輝度補正値が以下の方法で算出される。なお、補正情報とその生成方法とは特に限定されない。